(57)【要約】【課題】  マットレスや敷蒲団の大きさ、厚みに関わらず、どのようなリクライニングベッドにも簡単に取り付けができ、背もたれ部を起き上がらせた場合に枕のずれを防止するとともに、シーツや蒲団などの敷設物のずれも防止する寝具保持ユニットを提供する。【解決手段】  背もたれ部が上方へ起き上がるように傾斜可能なリクライニングベッドの上面に敷設される敷設物及びその敷設物の端部に載置される枕が傾斜した背もたれ部からその傾斜に沿って下方へずれることを防止する寝具保持ユニット１であって、  前記背もたれ部の傾斜する自由端部に配置される本体２と、  その本体２に連結され前記背もたれ部の自由端部に着脱可能に掛け止められる掛止部３と、  前記本体２に連結され、枕を保持する枕保持部４と、  前記本体２に連結され、前記敷設物の端部を保持する敷設物保持部５と、  を備えることを特徴とする。【選択図】  図１
2006204643.tif 000002
【特許請求の範囲】
【請求項１】
背もたれ部が上方へ起き上がるように傾斜可能なリクライニングベッドの上面に敷設される敷設物及びその敷設物の端部に載置される枕が傾斜した背もたれ部からその傾斜に沿って下方へずれることを防止する寝具保持ユニットであって、
前記背もたれ部の傾斜する自由端部に配置される本体と、
その本体に連結され前記背もたれ部の自由端部に着脱可能に掛け止められる掛止部と、
前記本体に連結され、枕を保持する枕保持部と、
前記本体に連結され、前記敷設物の端部を保持する敷設物保持部と、
を備えることを特徴とする寝具保持ユニット。
【請求項２】
請求項１に記載の寝具保持ユニットであって、
前記本体は、前記背もたれ部の幅方向に配置される長手状形態をなし、前記掛止部は、その本体の両端部から前記背もたれ部の自由端部の少なくとも端面に回り込む釣形状又はフック形状をなし、また、前記枕保持部は、前記本体の長手方向に所定の距離隔てて一対設けられるとともに、枕をその両端部において抱き込む線状の湾曲部材又は枕の一部を把持するクランプ部材とされ、さらに前記敷設物保持部は、前記本体の長手方向に所定距離隔てて少なくとも一対設けられ、前記敷設物の端部を前記背もたれ部の自由端部に対応する位置において把持するクランプ部材とされている寝具保持ユニット。
【請求項３】
請求項１又は２に記載の寝具保持ユニットであって、
前記本体は、長手状形態をなしてその長さが調整可能な伸縮構造を備え、その本体に少なくとも一対ずつの前記掛止部及び前記枕保持部が連結され、その本体の伸縮により前記掛止部及び枕保持部の間隔が調整される寝具保持ユニット。
【請求項４】
請求項１ないし３のいずれか１項に記載の寝具保持ユニットであって、
前記敷設物保持部は、前記本体に着脱可能に取り付けられている寝具保持ユニット。
【請求項５】
請求項１ないし４のいずれか１項に記載の寝具保持ユニットであって、
前記掛止部は、互いに回動可能に連結された節機構をなし、その節が回動することにより、前記釣形状または前記フック形状とされている寝具保持ユニット。
【請求項６】
請求項１ないし５のいずれか１項に記載の寝具保持ユニットであって、
前記枕保持部は、互いに回動可能に連結された節機構をなし、その節が回動することにより前記湾曲形状とされて、又は枕の一部が保持される寝具保持ユニット。
【請求項７】
請求項１ないし６のいずれか１項に記載の寝具保持ユニットであって、
前記枕保持部は、ベッド長さ方向の長さが調整可能な伸縮構造を備え、その枕保持部が保持する枕の前記背もたれ部の自由端部からの載置位置が調整される寝具保持ユニット。
【請求項８】
請求項１ないし７のいずれか１項に記載の寝具保持ユニットであって、
前記枕保持部は、前記敷設物と接触する接触部にその敷設物のずれを防止するずれ抑制部材を備え、前記敷設物保持部とそのずれ抑制部材とにより敷設物が保持される寝具保持ユニット。
【発明の詳細な説明】
【技術分野】
【０００１】
この発明は、リクライニングベッドで背もたれ部を上方へ起き上がらせた場合に、枕や敷設物（蒲団等）が載置位置からずれることを防止する寝具保持ユニットに関する。
【背景技術】
【０００２】
高齢化社会の到来等に伴って、身体不自由な老人、身体障害者や病人等の寝たきりの患者のために、上半身部分（背もたれ部分）が起き上がるリクライニングベッドが多く使用されている。このリクライニングベッドは、例えば病院、介護施設や自宅等で使用され、食事の際などに仰向けに寝ている状態から要介助者の上半身を起き上がらせることができる。
【０００３】
通常、寝る場合にはベッドに限らず頭部、首等を支えるために枕が使用されている。しかしながら、リクライニングベッドに枕を使用する場合に、上半身部分が起き上がると、その傾斜に沿って枕がずり落ちやすい。また、例えば食事等が終わりその傾斜を元の位置に戻す場合に、枕がずり落ちてしまっていると、介助者か又は要介助者自身で枕を配置しなおさなければならなかった。
【０００４】
また、リクライニングベッドのマットレス等を直接汚さないという目的のために、例えばシーツ（敷布）やタオルケットなどがそのマットレスの上面に敷かれて使用されている場合があり、また、ベッド面にクッションを備えず、代わりに蒲団を敷いて使用する簡易型のリクライニングベッドもある。このような場合に、シーツ、タオルケットあるいは蒲団等の敷設物についてリクライニングベッドの上半身部分が起き上がると、敷設物の上端部の方からずり落ちやすいため、その傾斜を元の位置に戻す場合に、介助者か又は要介助者自身でシーツや蒲団等の敷設物を配置しなおさなければならなかった。
【０００５】
従来技術として、特許文献１には、枕ずれ止め付きシーツが開示されている。この枕ずれ止め付きシーツは、マットレスの下部に折り込まれるシーツの一端と枕カバーとに連結紐が設けられ、各連結紐が係合することにより、シーツがマットレスに保持されるとともに、枕カバーも所定の位置に保持され、リクライニングベッドの背上げ時に枕の落下防止と同時にシーツのずれや捲れを防止できるようにしたものである。
【特許文献１】特開平１１−１２８０４４号公報
【発明の開示】
【発明が解決しようとする課題】
【０００６】
しかしながら、特許文献１では、枕カバーとシーツとが連結紐によって一体となっているため、例えば現在使用しているベッドサイズと合うものを探して購入しなければならない。また、シーツが汚れなどにより使用できなくなった場合に、一体となっている枕カバーも使用できなくなるといった問題がある。さらに、連結紐はマットレスの下面で係合しなければならないため、リクライニングベッドに取り付けするのに煩雑な作業が必要であった
【０００７】
本発明は、マットレスや敷蒲団の大きさ、厚みに関わらず、どのようなリクライニングベッドにも簡単に取り付けができ、背もたれ部を起き上がらせた場合に枕のずれを防止するとともに、シーツや蒲団などの敷設物のずれも防止する寝具保持ユニットを提供することを課題とする。
【課題を解決するための手段および発明の効果】
【０００８】
上記課題を解決するために、本発明の寝具保持ユニットは、
背もたれ部が上方へ起き上がるように傾斜可能なリクライニングベッドの上面に敷設される敷設物及びその敷設物の端部に載置される枕が傾斜した背もたれ部からその傾斜に沿って下方へずれることを防止する寝具保持ユニットであって、
前記背もたれ部の傾斜する自由端部に配置される本体と、
その本体に連結され前記背もたれ部の自由端部に着脱可能に掛け止められる掛止部と、
前記本体に連結され、枕を保持する枕保持部と、
前記本体に連結され、前記敷設物の端部を保持する敷設物保持部と、
を備えることを特徴とする。
【０００９】
このような構成により、リクライニングベッドの背もたれ部が上方へ起き上がる場合にも、ずり落ちようとする蒲団等の敷設物や枕は、敷設物保持部と枕保持部とによって本体に連結（保持）され、この本体は一方で傾斜した背もたれ部の自由端部に掛け止めされているから、引き起こされて傾斜する背もたれ部の上面に敷設される敷設物とその敷設物の端部に載置される枕とを、傾斜した背もたれ部からその傾斜に沿って下方へずれることを防止することができる。
【００１０】
また本発明の寝具保持ユニットは、
前記本体は、前記背もたれ部の幅方向に配置される長手状形態をなし、前記掛止部は、その本体の両端部から前記背もたれ部の自由端部の少なくとも端面に回り込む釣形状又はフック形状をなし、また、前記枕保持部は、前記本体の長手方向に所定の距離隔てて一対設けられるとともに、枕をその両端部において抱き込む線状の湾曲部材又は枕の一部を把持するクランプ部材とされ、さらに前記敷設物保持部は、前記本体の長手方向に所定距離隔てて少なくとも一対設けられ、前記敷設物の端部を前記背もたれ部の自由端部に対応する位置において把持するクランプ部材とされていることを特徴とする。
【００１１】
このような構成により、背もたれ部の自由端部の端面に掛止部を掛け止めするだけといった簡単な作業で設置することができるとともに、枕保持部が湾曲部材またはクランプ部材として備えられているので、そこに枕を抱き込ませるだけという簡単な作業で枕を保持することができる。また、リクライニングベッドの背もたれ部が傾斜した場合でも、枕がずれるのを防止することができる。
【００１２】
さらに、敷設物の端部を把持するクランプ部材が備えられているので、敷設物の端部を把持するだけという簡単な作業で、リクライニングベッドの背もたれ部が傾斜した場合でも敷設物のずれや捲れを防止することができる。また、ベッド使用者が例えば寝返りなどした場合にも敷設物がずれたり、捲れたりするのを防止することができる。
【００１３】
さらに本発明の寝具保持ユニットは、
前記本体は、長手状形態をなしてその長さが調整可能な伸縮構造を備え、その本体に少なくとも一対ずつの前記掛止部及び前記枕保持部が連結され、その本体の伸縮により前記掛止部及び枕保持部の間隔が調整される。これにより、掛止部と枕保持部の間隔が調整されるため枕の大きさ、長さ及び幅に関わらず、例えば本体の長さを枕の長さに合わせ、その両端で保持することで、より安定した状態でリクライニングベッドに枕を保持することができる。
【００１４】
本発明の寝具保持ユニットは、
前記敷設物保持部は、前記本体に着脱可能に取り付けられている。これにより、例えば簡易型のリクライニングベッドなどで敷蒲団等を使用する場合では、敷設物保持部を取り付けることで、敷蒲団等を保持することができる。また、敷蒲団等を使用しない場合では、敷設物保持部を取り外すことできるので、よりすっきりした形状とすることができる。また、敷設物保持部は、本体に着脱可能に取り付けることができるので、伸縮構造を備えた本体の伸縮変化に対応して最適の場所に取り付けることができる。
【００１５】
本発明の寝具保持ユニットは、
前記掛止部は、互いに回動可能に連結された節機構をなし、その節が回動することにより、前記釣形状または前記フック形状とされている。また、前記枕保持部は、互いに回動可能に連結された節機構をなし、その節が回動することにより前記湾曲形状とされて、又は枕の一部が保持される。これにより、リクライニングベッドやマットレスや蒲団等の大きさ、厚みに関わらず寝具保持ユニットを取り付けることができる。また、枕の形状、大きさに関わらず枕を抱き込むことができる。さらには、寝具保持ユニットを使用しない場合、例えば保管や、持ち運びをするときなどにはこの節を折り畳むことで、より保管や持ち運びに適した大きさ、形状とすることができる。
【００１６】
本発明の寝具保持ユニットは、
前記枕保持部は、ベッド長さ方向の長さが調整可能な伸縮構造を備え、その枕保持部が保持する枕の前記背もたれ部の自由端部からの載置位置が調整される。これにより、より確実に枕を抱き込むことができ、また、リクライニングベッドを使用する要介助者の体型（身長など）や、その要介助者の好みの位置に枕を配置することができる。
【００１７】
本発明の寝具保持ユニットは、
前記枕保持部は、前記敷設物と接触する接触部にその敷設物のずれを防止するずれ抑制部材を備え、前記敷設物保持部とそのずれ抑制部材とにより敷設物が保持される。これにより、より安定して敷設物を保持することができる。また、敷設物を使用しない場合でも、背もたれ部のずれを抑制する効果があり、言い換えれば背もたれ部に枕保持部のずれが抑制され、より安定して枕を保持することができることになる。
【００１８】
以上により、本発明の寝具保持ユニットは、簡単にリクライニングベッドの端部に取り付けることができ、本体および枕保持部が伸縮することができるので、枕の大きさ、形状などに関わらず枕を保持することができるとともに、確実に例えばシーツや蒲団などの敷設物を保持することができる。
【発明を実施するための最良の形態】
【００１９】
（実施例１）
以下、本発明の実施の形態を、図面に示す実施例を参照しながら説明する。
図１は、本発明の寝具保持ユニット１を示す全体斜視図である。本発明の寝具保持ユニット１は、長手状形態をなす本体２と、その本体２の両端部に連結される掛止部３および枕保持部４と、本体２に取り付けられる敷設物保持部５とを備えている。
【００２０】
図２は、本体２を説明する斜視図であり、図３は、図２に示すＡ−Ａ断面図及びＢ−Ｂ断面図である。本体２は、長手状形態をなし、図２及び図３に示すように略円形断面中空形状の本体外筒部材（以下、本体外筒ともいう）２１と本体内筒部材（以下、本体内筒ともいう）２２とを備えている。本体外筒２１および本体内筒２２の両端部は、一端が閉塞する閉端部２１ａ，２２ａと他端が開口する開端部２１ｂ，２２ｂとで構成されている。また、本体内筒２２は、本体外筒２１と本体内筒２２とのそれぞれ閉端部２１ａ，２２ａが対向するように本体外筒２１の内側に同軸線的に配置されている。本体２の形状としては、円形断面に限定されるものではなく楕円、三角形、四角形等の多角形とすることもできる。
【００２１】
本体外筒２１の開端部２１ｂには、内側に張り出すフランジ部２３ａが形成されている。また、本体内筒２２の開端部２２ｂには、外側に張り出すフランジ部２３ｂが形成されている。本体内筒２２の外径は、本体外筒のフランジ部２３ａの内周面の径と、ほぼ同じかもしくは小さく形成されるとともに、本体内筒のフランジ部２３ｂの外周面の径は、本体外筒の内周面の径とほぼ同じかもしくは小さく形成されており、本体内筒２２が本体外筒２１の内側で摺動可能に固定されている。換言すれば、本体２は、その自身の長さを調整可能な伸縮構造として、外筒部材２１とその内側に同軸線的に配置される本体内筒２２とが、軸線方向に相対的に移動する。
【００２２】
また、図２（ａ）及び図３Ａ−Ａ断面図は、本体２が最縮長の状態を示し、図２（ｂ）及び図３Ｂ−Ｂ断面図は、本体２が最伸長の状態を示している。本体２の伸縮構造として、この二つの状態の間で本体外筒２１と本体内筒２２は、軸線方向に相対的に移動することができる。本体２が最縮長する場合には、本体内筒２２の開端部２２ｂが、本体外筒２１の閉端部２１ａの内側面と当接することにより固定される。また、本体２が最伸長する場合には、フランジ部２３ａ，２３ｂとが当接することにより固定され、本体内筒２２が本体外筒２１からの抜けを防止している。なお、この例では本体２は、外筒部材および内筒部材により構成しているが、中筒部材等の筒部材を複数設けて構成してもよい。
【００２３】
次に、寝具保持ユニット１の掛止部３について詳しく説明する。
図４は、掛止部を示す全体斜視図、図５は、図４に示すＣ−Ｃ断面図である。掛止部３は、図４及び図５に示すように、一端に開口する開端部３２ｂを形成し、他端には自身を本体２に着脱可能に取り付ける掛止取付部３１を備える略円形断面中空形状の掛止外筒部材（以下、掛止外筒ともいう）３２と、略円形断面の略Ｌ字型の形状をなすＬ型棒部材３３とを備えている。
【００２４】
掛止取付部３１は、図５に示すように、断面略Ｃ字型の形状をなして開口部３１ａを形成している。掛止部３を本体２に取り付ける場合には、掛止取付部３１を矢印Ｘ方向で本体２に押圧すると、開口部３１ａの周方向の幅が弾性変形により拡大され、掛止取付部３１は本体２の周面に嵌合される。掛止部３を本体２から取り外す場合には、取り付けるときの逆の手順を行う。また、開口部３１ａが弾性的に本体２を把持しているため、外径の異なる本体外筒２１および本体内筒２２にも容易に取り付けが可能である。また、開口部３１ａにロック部材（図示せず）等を設けてもよい。その場合には、掛止取付部３１を本体２に嵌合した後、開口部３１ａの両側をロック部材によりロックすることができる。これにより、より確実に掛止部３を本体２に取り付けることができる（脱落の防止ができる）。
【００２５】
また、掛止外筒３２の開端部３２ｂ近傍の周面には、雌ねじ部３４が形成されている。この雌ねじ部３４は、周面を挿通して形成され、ボルト（雄ねじ部材）３５が一部螺合された状態で取り付けられている。なお、雌ねじ部３４は、図４において周面上の上方に形成されているが、下方および横等の位置に形成してもよく、また、周方向に例えば等間隔で複数設けてもよい。
【００２６】
Ｌ型棒部材３３は、図４及び図５に示すように、第１辺部３３ａと第２辺部３３ｂとを備えて構成されている。第１辺部３３ａは、掛止外筒３２と同軸線的に掛止外筒３２の内側に配置されている。また、この第１辺部３３ａは、その径を、掛止外筒３２の内径とほぼ同じかもしくは小さく形成し、掛止外筒３２と軸線方向において相対的に移動可能に配置されている。
【００２７】
また、第１辺部３３ａは、周面上に凹部３６を複数備え、軸線方向に所定距離隔て等間隔で形成されている。これら凹部３６は、掛止外筒３２に形成する雌ねじ部３４と対応する位置に形成されている。Ｌ型棒部材３３の第１辺部３３ａを掛止外筒３２の内側で摺動することにより、任意の凹部３６を雌ねじ部３４と対向する位置に移動する。そして、ボルト３５を締め込むとボルト３５の先端と凹部３６とが係合することにより、掛止外筒３２にＬ型棒部材３３は固定される。凹部３６は、省略することもできる。この場合は、ボルト３５を締め込み第１辺部３３ａの任意の位置における周面上で係合し、掛止外筒３２にＬ型棒部材３３を固定することができる。
【００２８】
第２辺部３３ｂは、掛止外筒３２の軸線方向に対して、略垂直方向に長手形状をなして形成されている。また、円形断面形状としているが、これに限定されるものではなく、楕円、三角形、四角形等の多角形等としてもよい。
【００２９】
次に、寝具保持ユニット１の枕保持部４について詳しく説明する。
図６は、枕保持部を示す全体斜視図、図７は、図６のＤ−Ｄ断面に対応する状態説明図である。図６に示すように、枕保持部４は、自身を本体２に着脱可能に取り付ける枕保持取付部４１と、枕保持ベルト４２と、枕位置調節具４３とを備えている。枕保持取付部４１は、断面略Ｃ字形状をなす開口部４１ａと、その開口部４１ａと周方向に対して反対側にベルト保持部４１ｂとを備えている。枕保持部４を本体２に取り付ける場合については、枕保持取付部４１と前述した掛止取付部３１とが構造上重複するため、詳細な説明を省略する。なお、重複する部分については、符号３１，３１ａと符号４１，４１ａとがそれぞれ対応している。
【００３０】
ベルト保持部４１ｂは、例えば把持部材、フック部材等で構成され枕保持ベルト４２の一端を把持またはフック等で掛止することにより枕保持ベルト４２を保持する。枕保持ベルト４２は、布ひも、ゴムひも、布ベルト等を使用することができ、枕位置調節具４３が、図７（ａ）に示すように、枕保持取付部４１からの距離Ｌの位置に枕保持ベルト４２上で移動可能に取り付けられている。次に、図７（ｂ）に示すように、枕保持ベルト４２の枕保持取付部４１が保持している他端（ベルト先端）側を、枕位置調整具４３に挿通等して保持することにより、枕保持ベルト４２は枕位置調整具４３を介在してループ形状を形成する。このループに枕等を抱き込ませることにより保持することができる。
【００３１】
また、距離Ｌの長さを変えることで、ループ形状を形成する位置を調整することができる。さらに、枕保持ベルト４２の先端側の枕位置調整具４３で保持する位置を変えることにより、ループ形状の大きさを調整することができる。
【００３２】
次に、寝具保持ユニット１の敷設物保持部５について詳しく説明する。
図１に戻り、敷設物保持部５は、本体２の長手方向に所定距離隔てて一対設けられている。このとき、敷設物保持部５の先端部は、枕保持部４に沿った方向を向くように取り付けられることが望ましい。図８は、敷設物保持部の全体斜視図およびＥ−Ｅ断面図、図９は、敷設物保持部材の開状態を説明する図である。
【００３３】
敷設物保持部５は、自身を本体２に着脱可能に取り付ける敷設物保持取付部５２と、例えば蒲団等を保持するクランプ部材５１とを備えている。敷設物保持取付部５２は、断面略Ｃ形状をなして開口部５２ａを形成している。
敷設物保持部５を本体２に取り付ける場合については、敷設物保持取付部５２と前述した掛止取付部３１とが構造上重複するため、詳細な説明を省略する。なお、重複する部分については、符号３１，３１ａと符号５２，５２ａとがそれぞれ対応している。
【００３４】
クランプ部材５１は、上部把持片５１ａと下部把持片５１ｂと軸部材５１ｃとを備えている。軸部材５１ｃは、例えばコイルばねや板ばね等の弾性部材が設けられており、上部把持片５１ａと下部把持片５１ｂとが、その軸部材５１ｃによって相対的に回転可能に軸支され、軸支された両把持片を敷設物保持取付部５２と反対側に位置する先端部側が閉じる方向に常時弾性的に付勢されている。またその取付部側（後端部側）を閉じる方向に挟圧すると、先端部はＹ方向に開かれる（図９参照）。この開かれた状態で、例えば蒲団等の上端部に合わせ、挟圧を解除すると先端部側が閉じられ蒲団の上端部を把持することができる。
【００３５】
上部把持片５１ａと下部把持片５１ｂとの合わせ面５４では、把持したものを滑り落ちないように凹凸部や、歯を設けることもできる。また、滑り難い素材とすることもでき、蒲団等を確実に保持することができる。
【００３６】
なお、敷設物保持部５と同一の機能を有するクランプ部材を枕保持部として使用することもできる。この場合は、枕上端における両端部をそのクランプ部材で把持することにより枕を保持する。
【００３７】
次に、本発明の寝具保持ユニット１の使用方法について説明する。
図１０ないし図１３は、寝具保持ユニット１の使用状態を説明する説明図である。図１０および図１１は、背もたれ部９１が上方へ起き上がるように傾斜可能なリクライニングベッド９０の上面に敷設される敷設物（蒲団）９３及びその蒲団９３に載置される枕９５が、傾斜した背もたれ部９１からその傾斜に沿って下方へずれることを防止する目的で使用されている寝具保持ユニット１を示している。
【００３８】
図１０（ａ）に示すように、寝具保持ユニット１は、リクライニングベッド９０の背もたれ部９１が起き上がった状態で、枕保持部４の枕保持ベルト４２が背もたれ部９１の自由端部９２（蒲団上端部９４）から背もたれ部９２の傾斜に沿って、蒲団９３の上面に配置するように、本体２が自由端部９２に沿って配置されている。また、図１０（ｂ）に示すように、掛止部３は、背もたれ部９１の自由端部９２の上端面９２ａから背もたれ部９２の裏面にＬ型棒部材３３が回り込むように掛け止めされている。このとき、使用するリクライニングベッド９０と蒲団９３との厚みにより、Ｌ型棒部材３３と掛止外筒３２とでその厚み寸法に長さを調整することができるため、リクライニングベッド９０や蒲団９３の大きさや厚みに関わらず使用することができ、また簡単に設置することができる。
【００３９】
また、敷設物保持部５は、本体２に取り付けられた状態で、蒲団９３の上端部９４を把持している。このとき、その本体２が掛止部３を介してリクライニングベッド９０の自由端部９２に固定されているので、蒲団９３は、背もたれ部９２が起き上がり傾斜した場合にも、その傾斜に沿ってずれない。
【００４０】
続いて、図１１に示すように、背もたれ部９１の自由端部９２（蒲団上端部９４）から背もたれ部９１の傾斜（ベッド長さ方向）に沿って配置される枕保持部４の枕保持ベルト４２が形成するループ内に枕９５が配置されている。枕保持部４の枕保持ベルト４２は、枕９５を両端から抱き込むように保持しているため、その背もたれ部９１が起き上がった場合にもその傾斜に沿って下方へ枕がずり落ちることがない。
【００４１】
また、枕の例えば幅方向の大きさが変更された場合でも、本体２の伸縮構造により、枕のベッド幅方向の長さに調整することで、より安定した状態で枕を保持することができる。さらに、枕位置調整具４３を介在して、枕保持取付部４１からの距離Ｌ（図７参照）を調整することにより、背もたれ部９１の自由端部９２からベッド長さ方向の枕の位置を設定することができる。
【００４２】
図１２は、例えばクッション性を有するマットレス等を備えたリクライニングベッド９０’の背もたれ部９１の自由端部９２に寝具保持ユニット１が配置されている。そのマットレスの上面には、マットレスを直接汚れから防ぐ目的で敷設される例えばシート（敷布）やタオルケット等のシート状物９６が敷かれ、敷設物保持部５が、そのシート状物９６の上端部９７を把持している。これにより、背もたれ部９１が起き上がった場合にもその傾斜に沿ってシート状物９６が下方にずり落ちることがない。また敷設物保持部５が、その上端部９７を把持しているため、その上端部９７から下方に捲れることもない。
【００４３】
また図１３に示すように、背もたれ部９１の自由端部９２から背もたれ部９１の傾斜（ベッド長さ方向）に沿ってに配置される枕保持部４の上に枕９５が載置されている。枕保持部４の枕保持ベルト４２が形成するループ内に枕９５が配置されているため、その背もたれ部９１が起き上がった場合にもその傾斜に沿って下方へ枕９５がずり落ちることがない。
【００４４】
なお、図１にも示すように、本体２と掛止部３とは連結されているので、例えば蒲団９３を背もたれ部９１のより上方から敷設することができる。さらには、本体２を自由端面９２ａに回り込む位置に配置することにより、シーツやタオルケット等をマットレスに折り込むように載置することができるため、より確実にシーツ等を保持することができる。また、枕９５は、その両端で枕保持ベルト４２によって保持されているので、要介助者が枕９５に異物感を感じることなく使用することができる。
【００４５】
さらには、本発明の寝具保持ユニット１は、リクライニングベッド９０、蒲団９３及び枕９５の大きさ、厚み等に各部の長さ等を調整することにより、どのようなリクライニングベッド９０、蒲団９３及び枕９５の大きさ、厚みにも対応して使用することができる。
【００４６】
（実施例２）
以下、本発明の第２の実施形態を、図面に示す実施例を参照しながら説明する。なお、実施例２において、実施例１と同一の機能を有する部分には同一の符号を付して説明を省略する。
図１４は、本発明の寝具保持ユニット１００を示す全体斜視図、図１５は図１４の寝具保持ユニット１００の側面図である。本発明の寝具保持ユニット１００は、長手状形態をなす本体２と、その本体２の両端部に連結される掛止部３００および枕保持部４００と、本体２に着脱可能に取り付けられる敷設物保持部５とを備えている。
【００４７】
図１６は、本体２を説明する斜視図であり、図１７は、図１６に示すＡ’−Ａ’断面図及びＢ’−Ｂ’断面図である。実施例２における本体２は、実施例１に次のような変形を加えている。本体外筒２１と本体内筒２２との閉端部２１ａ，２２ａの閉塞面の略中心領域には、雌ねじ部２４，２４が形成されている。この雌ねじ部２４は、後述する掛止部３００もしくは枕保持部４００に形成される雄ねじ部３０６と螺合され、図１４に示すように掛止部３００および枕保持部４００とが本体２の両端部で連結される。この例では、本体２の両端に雌ねじ部が形成されるとしているが、単に嵌合孔とすることもできる。この場合は、掛止部３００もしくは枕保持部４００にその嵌合孔に対応する突起が形成され、ほぞ接合などにより連結することができる。また、その閉塞面に雄ねじ部または突起を形成し、掛止部３００および枕保持部４００と連結してもよい。
【００４８】
また、図１６（ａ）及び図１７Ａ’−Ａ’断面図は、本体２が最縮長の状態を示している。本体２が最縮長する場合には、本体内筒の開端部２１ｂが、本体外筒２１の閉端部２１ａの内側面と当接することにより固定されている。このとき、本体内筒の閉端部２２ａに掛止部３００および枕保持部４００が連結されているため、本体内筒２２の閉端部２２ａは、本体外筒２１の開端部２１ｂより突出した状態で固定されることが望ましい。
【００４９】
次に、寝具保持ユニット１００の掛止部３００について詳しく説明する。
図１８は、掛止部の要部拡大図およびＦ−Ｆ断面図である。掛止部３００は、図１４及び図１５に示すように、複数の棒状部材３０１とその棒状部材３０１を互いに回動可能に連結する節機構である回動軸部３０２とを備え、掛止部３００の先端（枕保持部４００との連結端の他端）には緩衝部材３０８が形成されている。緩衝部材３０８は、先端が球状などの曲面部を有して形成されており、寝具保持ユニット１００を、例えば後述するリクライニングベッドの自由端部に配置した際に、背もたれ部などをキズつけないように保護している。
【００５０】
掛止部３００は、回動軸部３０２を介してその回動軸部３０２に連結される二つの棒状部材３０１が互いに回動することにより、釣形状又はフック形状を形成する。回動軸部３０２は、図１８に示すように、外筒軸３０３と内筒軸３０５とを備え、外筒軸３０３の軸線方向の略中央領域の周面には、略矩形状もしくは、その略矩形状の周方向の両端が半円形状をなす開口部３０４が形成されている。外筒軸３０３の開口部３０４と周面上の反対の位置に棒状部材３０１の一端が連結され、内筒軸３０５には、開口部３０４を介して、他の棒状部材３０１の一端が連結されている。この内筒軸３０５に連結された棒状部材３０１と開口部３０４の内周面とが周方向に当接する間を、外筒軸３０３と内筒軸３０５とが周方向に相対的に回動する。
【００５１】
回動軸部３０２は、図示しない回転抑制手段または回転係止手段が設けられており、回動軸部３０２に連結された互いの棒状部材３０１が所定角度位置で保持することができる。例えば、外筒軸３０３の内周面と内筒軸３０５の外周面とを互いに圧接した状態で形成してもよい。その場合には、外筒軸３０３と内筒軸３０５とが周方向に相対的に回動する方向と逆らう向きの力が働きその棒状部材３０１を所定角度位置で保持することができる。また、図示しないストッパなどの係止部材を回動軸部３０２または棒状部材３０１に設け、その互いの棒状部材３０１を所定角度位置で保持してもよい。
【００５２】
図１４に戻り、掛止部３００と枕保持部４００とが連結する棒状部材３０１の一端に位置する回動軸部３０２’の端面に本体２が連結されている。内筒軸３０５の本体２の中心方向に位置する端面の略中心部に、雌ねじ部２０４に対応する雄ねじ部３０６が形成されている。掛止部３００と本体２とは、この雄ねじ部３０６と雌ねじ部２４とが螺合することにより本体２の両端部で連結される。
【００５３】
また、枕保持部４００と連結する棒状部材３０１の一端部には、後述する枕保持部４００の上端に形成される雌ねじ部４０９に対応した雄ねじ部３０９が形成されている。この雄ねじ部３０９と雌ねじ部４０９とが螺合することにより、掛止部３００と枕保持部４００とが連結される（図２０参照）。なお、回動軸部３０２’は、回動軸部３０２に雄ねじ部３０６を備えたものであることを除き実質同じ構造である。また、回動軸部３０２’の節構造位置を設定することにより、本体２の配置を換えることができる。
【００５４】
この例では、回動軸部３０２は筒状としているが、例えば球状とすることもできる。この場合は、球状回動軸部では、外球部材に形成される開口部が略円形状となり、その間で棒状部材３０１は回動することができる。また、回転軸部３２を蛇腹構造体とすることもできる。この場合では、その蛇腹部分が伸縮することにより、棒状部材３０１を屈曲することができる。棒状部材および節機構は、使用する取り付け位置、形状や大きさに応じてその数を決めることができ、寝具保持ユニット１００を容易に取り付けることができる。
【００５５】
次に、寝具保持ユニット１００の枕保持部４００について詳しく説明する。
図１４に戻り、枕保持部４００は、ベッド長さ方向の枕位置を調整する位置調整部４１０と枕を保持する保持アーム４２０とを備えている。保持アーム４２０は複数の棒状部材４１１とその棒状部材４１１を互いに回動可能に連結する節機構である回動軸部４１２とを備え、保持アーム４２０の先端（位置調整部４１０との連結端の他端）には緩衝部材４１８が形成されている。緩衝部材４１８は、先端が球状などの曲面部を有して形成されており寝具保持ユニット１００を例えばリクライニングベッドの自由端部に配置した際に、枕や要介助者をキズつけないように保護している。保持アーム４２０においては、前述した掛止部３００と構造上重複するため、詳細な説明を省略する。なお、重複する部分については、符号３０１，３０２，３０８と符号４１１，４１２，４１８とがそれぞれ対応している。
【００５６】
保持アーム４２０は、回動軸部４１２を介して棒状部材４１１が互いに回動し、枕を抱き込む線状の湾曲形状をなすことができる。また、例えば回動軸部４１２にばねなどの弾性部材を設けて、保持アーム４２０が回動軸部４１２を介して屈曲する方向に常時弾性的に付勢することで枕の一部を把持するクランプ部材となすことができる。
【００５７】
図１９は、枕保持部４００（位置調整部４１０）を示す全体斜視図、図２０は、図１９に示すＧ−Ｇ断面図及びＨ−Ｈ断面である。位置調整部４１０は、図１９及び図２０に示すように、略円形断面中空形状の枕保持外筒部材（以下、枕保持外筒ともいう）４０１と枕保持内筒部材（以下、枕保持外筒ともいう）４０２とを備えている。枕保持外筒４０１及び内筒部材４０２の両端部は、一端が閉塞する閉端部４０１ａ，４０２ａと他端が開口する開端部４０１ｂ，４０２ｂとで構成されている。また、枕保持内筒４０２は、枕保持外筒４０１と枕保持内筒４０２のそれぞれの閉端部４０１ａ，４０２ａとが対向するように枕保持外筒４０１の内側に同軸的に配置されている。枕保持外筒４０１と枕保持内筒４０２とが軸線方向に相対的に移動することにより枕保持部４００は伸縮する。
【００５８】
枕保持外筒４０１と枕保持内筒４０２との閉端部４０１ａ，４０２ａの閉塞面の略中心領域には、雌ねじ部４０９，４０９が形成されている。位置調整部４１０が、ベッド長さ方向に配置された場合に、上端に位置する雌ねじ部４０９と掛止部３００の雄ねじ部３０９が螺合され連結される。また、下端に位置する雌ねじ部４０９と保持アーム４２０の雄ねじ部４１９が螺合され連結され枕保持部４００を形成する。
【００５９】
これにより、図１５に示すように、上部に下向きに釣形状またはフック形状などを形成する掛止部３００の一端と、下部の一部に上向きに釣形状またはフック形状などの湾曲形状を形成する枕保持部４００の一端とが連結され、その掛止部３００と枕保持部４００とが連結した状態で、側面視略Ｓ字型の形状をなすＳ形状部材が形成されている。
【００６０】
また、枕保持内筒４０２は、開端部４０２ｂ近傍の周面に半球状体の突起４０４が設けられている。突起４０４は、例えば図示しないばね部材などの弾性部材を介して枕保持内筒４０２の内側から装着したもので、その弾性部材により通常は枕保持内筒４０２の周面から突出した状態で形成されている。このとき、突起４０４には、自身が枕保持内筒４０２の外へ飛び出してしまわないようにするためのピンまたはフランジなどの係止手段が設けられている。また、突起４０４は、外力を加え弾性部材を縮めることで、その周面の内部４０５に突起４０４を押し下げることができる構成となっている。
【００６１】
枕保持外筒４０１の周面上には、その突起４０４に対応する係止孔４０３が軸線方向に任意の数だけ等間隔で設けられており、この係止孔４０３に突起４０４が係合することにより、枕保持外筒４０１と枕保持内筒４０２とが固定される。また、枕保持外筒４０１と枕保持内筒４０２とが、軸線方向に相対的に移動するときには、突起４０４は、周面の内部４０５に押し下げられた状態で移動し、突起４０４が係止孔４０３の位置に配置されると突起４０４が周面の内部４０５から突出し係止孔４０３と係合する。
【００６２】
この例では、枕保持外筒４０１の内径と枕保持内筒４０２の外径がほぼ同じになるのが望ましく、枕保持外筒内周面と枕保持内筒外周面とが当接し、摺動することが望ましい。また、係止孔４０３及び突起４０４は周方向に１つ設けるとしているが、周方向に等間隔で複数設けてもよい。また、枕保持内筒４０２には突起４０４のかわりに係止孔を設け、枕保持外筒４０１に形成される係止孔と、その枕保持内筒４０２に設けた係止孔を連通させ、その連通した係止孔にピンなどの棒状部材等を挿通させることにより枕保持外筒４０１と枕保持内筒４０２とを固定してもよい。さらに、実施例１の掛止部３で例示したように、枕保持内筒４０２に凹部、枕保持外筒４０１に雌ねじ部を設けボルト等によりその凹部と係合し固定することもできる。
【００６３】
次に、ずれ抑制部材６が設けられた寝具保持ユニット１００について説明する。図２１は、寝具保持ユニット１００の変形例の説明図である。この変形例は、枕保持部４００の位置調整部４１０に備えられている枕保持外筒４０１の周面上に合成ゴム樹脂などのずれ抑制部材６が設けられたものである。ずれ抑制部材６は、枕保持外筒４０１の周面上に形成される係止孔４０３を閉塞しないように設けられている。ずれ抑制部材６は、例えば、後述するリクライニングベッドなどに使用された場合に、寝具保持ユニット１００の自重や枕、使用者の頭部などの押圧により、敷設物保持部５とともに蒲団等のずれを防止する。また、ずれ抑制部材６は枕保持外筒４０１の周面上に設けられているため、枕等のベッド長さ上方向、幅方向へのずれも抑制することができる。なお、図２１において図１９と同一の機能を有する部分は同一符号を付して説明を省略する。
【００６４】
次に、本発明の寝具保持ユニット１００の使用方法について説明する。
図２２は、寝具保持ユニット１００の使用状態を説明する説明図である。実施例２における寝具保持ユニット１００の使用方法は、実施例１に次のような変形を加えている。図２２（ａ）に示すように、掛止部３００は、背もたれ部９１の自由端部９２の上端面９２ａから背もたれ部９２の裏面に回り込むように掛け止めされている。このとき、掛止部３００が背もたれ部９２の裏面に回り込む位置は、使用するリクライニングベッド９０と蒲団９３との厚みにより、その厚み寸法に対応した任意の回転軸部３０２により調整することができ、その回転軸部３０２に連結された棒状部材３０１を回動する。これにより、リクライニングベッド９０や蒲団９３の大きさ、厚みに関わらず使用することができ、また簡単に設置することができる。
【００６５】
続いて、図２２（ｂ）に示すように、背もたれ部９１の自由端部９２（蒲団上端部９４）から背もたれ部９１の傾斜（ベッド長さ方向）に沿ってに配置される枕保持部４００の上に枕９５が載置されている。枕保持部４００の保持アーム４２０が、枕９５を下側から抱き込むように保持しているため、その背もたれ部９１が起き上がった場合にもその傾斜に沿って下方へ枕がずり落ちることがない。また、リクライニングベッド９０の背もたれ部９１が通常状態（非起き上がり状態）の場合には、任意の回動軸部４１２で枕保持部４００を折り畳み、枕の下に収納することができる。これにより、要介助者が枕９５に異物感を感じることなく使用することができる。
【００６６】
さらに、位置調整部４１０を介在して、掛止部３００と保持アーム４２０とが連結されているため、位置調整部４１０の伸縮を調整することにより、背もたれ部９１の自由端部９２からベッド長さ方向の枕の位置を設定することができる。これにより、要介助者の体型（身長など）や、その要介助者の好みの位置に枕を配置することができる。
【００６７】
実施例２では、本体２を複数設けてもよく、より安定して掛止部３００および枕保持部４００を連結することもできる。また、本体２は、枕保持部４００の位置調整部４１０と同じ構造とすることもできる。それにより、製造コストを下げることができる。
【００６８】
本発明の寝具保持ユニットは、例えば、プラスチック、木材、金属、セラミックス等、その他適宜の材料で形成することができ、部材毎にその材料を変更してもよい。ワイヤーや針金などの芯材を樹脂等で被覆させ適宜使用してもよい。
【００６９】
また、本発明の寝具保持ユニットは、リクライニングベッドに使用するものとしているが、例えばソファーや椅子などに使用することもできる。その場合は、枕のほかに、座蒲団などのクッション状物を枕保持部で背もたれ部の上面に保持することで、使用者の背中部分にクッション性を備えた椅子とすることもできる。
【００７０】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００７１】
【図１】寝具保持ユニットの全体斜視図
【図２】本体を説明する斜視図
【図３】図２に示すＡ−Ａ断面図及びＢ−Ｂ断面図
【図４】掛止部を説明する斜視図
【図５】図４に示すＣ−Ｃ断面図
【図６】枕保持部を説明する斜視図
【図７】図６に示すＤ−Ｄ断面に対応する状態説明図
【図８】敷設物保持部を説明する斜視図及びＥ−Ｅ断面図
【図９】敷設物保持部材の状態を説明する図
【図１０】寝具保持ユニットの使用状態を説明する第１の説明図
【図１１】寝具保持ユニットの使用状態を説明する第２の説明図
【図１２】寝具保持ユニットの使用状態を説明する第３の説明図
【図１３】寝具保持ユニットの使用状態を説明する第４の説明図
【図１４】実施例２の寝具保持ユニットの全体斜視図
【図１５】実施例２の寝具保持ユニットの全体側面図
【図１６】実施例２の本体を説明する斜視図
【図１７】図１６に示すＡ’−Ａ’断面図及びＢ’−Ｂ’断面図
【図１８】実施例２の掛止部の要部拡大図及びＦ−Ｆ断面図
【図１９】実施例２の枕保持部を説明する斜視図
【図２０】図１９に示すＧ−Ｇ断面図及びＨ−Ｈ断面図
【図２１】実施例２の寝具保持ユニットの変形例の説明図
【図２２】実施例２の寝具保持ユニットの使用状態を説明する説明図
【符号の説明】
【００７２】
１，１００  寝具保持ユニット
２  本体
３，３００  掛止部
４，４００  枕保持部
５  敷設物保持部
９０，９０’  リクライニングベッド
９１  背もたれ部
９２  自由端部
９３  蒲団（敷設物）
９４  蒲団上端部
９５  枕
９６  シート状物
【図１】
2006204643.tif 000003
【図２】
2006204643.tif 000004
【図３】
2006204643.tif 000005
【図４】
2006204643.tif 000006
【図５】
2006204643.tif 000007
【図６】
2006204643.tif 000008
【図７】
2006204643.tif 000009
【図８】
2006204643.tif 000010
【図９】
2006204643.tif 000011
【図１０】
2006204643.tif 000012
【図１１】
2006204643.tif 000013
【図１２】
2006204643.tif 000014
【図１３】
2006204643.tif 000015
【図１４】
2006204643.tif 000016
【図１５】
2006204643.tif 000017
【図１６】
2006204643.tif 000018
【図１７】
2006204643.tif 000019
【図１８】
2006204643.tif 000020
【図１９】
2006204643.tif 000021
【図２０】
2006204643.tif 000022
【図２１】
2006204643.tif 000023
【図２２】
2006204643.tif 000024